(57)【要約】【課題】本発明は、プラズマディスプレイパネルから生じる異音を低減もしくは消滅することが可能なプラズマディスプレイ装置を、より低廉かつ容易に実現することを目的とする。【解決手段】プラズマディスプレイパネル１００の異常振動及び／又は音が発生する元となる高電圧駆動波形から直接的に、発生するだろう振動及び／又は音を推定して疑似異音として発生させることで、駆動波形設計時の制約や振動生成部５５０の時間遅れの無い異音低減手段を提供する。【選択図】図１
2008198451.tif 000002
【特許請求の範囲】
【請求項１】
複数の主電極が配設された第１の基板と、前記第１の基板と対向配置され前記主電極と交差する方向に複数のアドレス電極が配設された第２の基板を含むプラズマディスプレイパネルであって、
前記主電極間又は前記主電極と前記アドレス電極間に印加される高圧駆動波形を電気的に処理し前記第１の基板及び前記第２の基板間で発生する振動と位相が反転する振動を推定する信号処理部と、
前記信号処理部の出力に応じた振動を発生させる振動生成部を備えることを特徴とするプラズマディスプレイパネル。
【請求項２】
複数の主電極が配設された第１の基板と、前記第１の基板と対向配置され前記主電極と交差する方向に複数のアドレス電極が配設された第２の基板を含むプラズマディスプレイパネルであって、
前記主電極間又は前記主電極と前記アドレス電極間に印加される高圧駆動波形を電気的に処理し前記第１の基板及び前記第２の基板間で発生する異音と位相が反転する音を推定する信号処理部と、
前記信号処理部の出力に応じた音を発生させる音声出力部を備えることを特徴とするプラズマディスプレイパネル。
【請求項３】
請求項１又は２記載のプラズマディスプレイパネルであって、前記信号処理部にローパスフィルタ機能を含むことを特徴とするプラズマディスプレイパネル。
【請求項４】
請求項１又は２記載のプラズマディスプレイパネルであって、前記信号処理部にデジタル信号処理プロセッサ（ＤＳＰ）を含むことを特徴とするプラズマディスプレイパネル。
【請求項５】
請求項２記載のプラズマディスプレイパネルであって、前記音声出力部にスピーカを用いることを特徴とするプラズマディスプレイパネル。
【請求項６】
請求項５記載のプラズマディスプレイパネルであって、前記スピーカとして平面スピーカを用いることを特徴とするプラズマディスプレイパネル。
【請求項７】
請求項６記載のプラズマディスプレイパネルであって、前記平面スピーカを当該プラズマディスプレイパネルの表示面または背面のいずれかに配設することを特徴とするプラズマディスプレイパネル。
【請求項８】
請求項１、３又は４のいずれか１項に記載のプラズマディスプレイパネルであって、出力される振動の位相や振幅を手動で調整可能とすることを特徴とするプラズマディスプレイパネル。
【請求項９】
請求項２、５、６又は７のいずれか１項に記載のプラズマディスプレイパネルであって、出力される音の位相や振幅を手動で調整可能とすることを特徴とするプラズマディスプレイパネル。
【請求項１０】
請求項１乃至９のいずれか１項に記載のプラズマディスプレイパネルを含むことを特徴とするプラズマディスプレイ装置。
【請求項１１】
複数の主電極が配設された第１の基板と、前記第１の基板と対向配置され前記主電極と交差する方向に複数のアドレス電極が配設された第２の基板を含むプラズマディスプレイパネルの振動消去方法であって、
前記主電極間及び前記主電極と前記アドレス電極間に印加される高圧駆動波形からプラズマディスプレイパネルより生じる振動の位相・振幅を推定する振動推定ステップと、
前記振動推定ステップで推定した振動の位相・振幅から振動キャンセル出力を生成する振動キャンセル出力ステップとからなることを特徴とするプラズマディスプレイパネルの振動消去方法。
【請求項１２】
複数の主電極が配設される第１の基板と、前記第１の基板と対向配置され前記主電極と交差する方向に複数のアドレス電極が配設される第２の基板を含むプラズマディスプレイパネルのノイズ消去方法であって、
前記主電極間及び前記主電極と前記アドレス電極間に印加される高圧駆動波形からプラズマディスプレイパネルより生じる異音の位相・振幅を推定するノイズ推定ステップと、
前記ノイズ推定ステップで推定した異音の位相・振幅からノイズキャンセル出力を生成するノイズキャンセル出力ステップとからなることを特徴とするプラズマディスプレイパネルのノイズ消去方法。
【発明の詳細な説明】
【技術分野】
【０００１】
本発明は、放電を利用して表示を行うプラズマディスプレイ装置に関し、特に、放電による振動または音が発生した場合に、その振動または音を抑制するプラズマディスプレイ装置に関する。
【背景技術】
【０００２】
従来のプラズマディスプレイ装置について図５ないし図８に基づいて説明する。図５はプラズマディスプレイパネルの中の一つの画素の構造を模式的に示す分解斜視図である。前面側に配設される第１の基板１１０は、基板の基材となる平面ガラス１１２上に表示用の主電極（維持放電電極）１１１が略平行に配設される。これらの主電極１１１が平面ガラス１１２全体に多数配設されている。さらに、これらの主電極１１１を覆う透明誘電体１１３と、その表面に保護層１１４とが設けられている。通常、前面側の第１の基板１１０の厚さは略２〜３ｍｍ、透明誘電体１１３の厚さは数十μｍ、保護層１１４の厚さは略１μｍである。
【０００３】
一方、背面側に配設される第２の基板１２０は、基板の基材となる平面ガラス１２２上にアドレス電極１２１が主電極１１１と交差（略直交）する方向に設けられる。これらのアドレス電極１２１を誘電体１２３が覆っている。それぞれのアドレス電極１２１の間には放電を分離するためのリブ１２４が設けられ、これらのリブ１２４に挟まれた誘電体１２３の上面とそれぞれのリブ１２４の側面には赤、緑、青の蛍光体１２５Ｒ、１２５Ｇ、１２５Ｂが各色ごとに別個独立に封入されている。なお、図５では蛍光体１２５Ｒ、１２５Ｇ、１２５Ｂを１組しか示していないが、実際のプラズマディスプレイ装置にはプラズマディスプレイパネルが画素数に応じて多数設けられている。通常、第２の基板１２０の厚さは略２〜３ｍｍ、透明誘電体１２３の厚さは数十μｍ、リブ１２４は１００〜２００μｍである。
【０００４】
プラズマディスプレイパネル全体の平面図を図６に示す。前面側に配設される第１の基板１１０と背面側に配設される第２の基板１２０とは、主電極１１１とアドレス電極１２１とが互いに交差する方向に所定の間隔を隔てて組合わされ、その周辺の封止部１２６はフリットにより封着されている。
【０００５】
このプラズマディスプレイパネルを駆動する回路を含む一般的なプラズマディスプレイ装置１の駆動構成を、ブロック図として図７に示す。このプラズマディスプレイ装置１は、アドレス電極駆動回路２、Ｘ電極駆動回路３、Ｙ電極駆動回路４、表示領域５、アドレス電極１２１及び以下に説明する主電極１１１であるＸ電極、Ｙ電極より構成される。
【０００６】
図５に示した主電極１１１はそれぞれ隣接する相互間でＸ電極、Ｙ電極と称し、図７ではＸｉ（ｉ＝１、２、３、・・・、ｎ）、Ｙｊ（ｊ＝１、２、３、・・・、ｎ）で示している。これらは、それぞれＸ電極駆動回路３及びＹ電極駆動回路４により駆動される。一方、図５に示したアドレス電極１２１は図７ではＡｋ（ｋ＝１、２、３、・・・、ｍ）と示され、アドレス電極駆動回路２が駆動する。
【０００７】
図７中の符号１２６ａは図６の封止部１２６の内側の部分（一点鎖線で示した枠内の範囲）に相当する範囲を示すものであり、２点鎖線の領域は表示領域５（画像表示を行う領域）を示すものである。アドレス電極ＡｋとＹ電極Ｙｊとの間でのセル点灯または非点灯を選択し、その選択結果に対応して、Ｙ電極Ｙｊとそれに隣接するＸ電極Ｘｉとの間で発光表示のための維持放電を行い、カラー画像を表示する。
【０００８】
従来、プラズマディスプレイ装置において、プラズマディスプレイパネルから異常な音（以下「異音」または「ノイズ」と称する）や振動を発するものが一部にあることが知られている。このような異音、振動の発生は、プラズマディスプレイ装置を使用する一部ユーザに不快感を与える。この異音、振動の具体的メカニズムは後述するが、きっかけとなるのはパネルに印加された高電圧駆動波形によるものである。
【０００９】
従って、このような異音や振動を生じにくい駆動波形の使用や（特許文献１）、この波形によって外部に放出される機械振動と逆位相の振動を作り出してお互いに加える（特許文献２）等の方法が考案されている。
【特許文献１】特開２００３−２４８４５３号公報
【特許文献２】特開２００３−２５５８４６号公報
【発明の開示】
【発明が解決しようとする課題】
【００１０】
上記で述べた異音や振動がどのように発生するのかについて解析を行った結果、以下のような点を明らかにできた。その内容を、図８及び図９を参照して説明する。
【００１１】
図８は従来のプラズマディスプレイパネルの駆動波形の実例を表す図であり、図９は従来のプラズマディスプレイパネルにより生じる異音及び振動の発生原因を示す模式的断面図である。このプラズマディスプレイパネルは、主電極１１１及び平面ガラス１１２からなる第1の基板１１０、アドレス電極１２１及び平面ガラス１２２からなる第２の基板１２０、リブ１２４、封止部１２６から構成される。
【００１２】
なお、基板（第１の基板１１０又は第２の基板１２０）とは、各基板単体を示すこと以外に、電極、誘電体層、リブなどの部材を含むそれぞれの基板全体を示すこともある（以下、同様）。
【００１３】
従来のプラズマディスプレイパネルでは、リブ１２４形成時の製造ばらつき、焼成時の熱収縮ばらつき等により、リブ１２４端部Ｐの高さが設計時に想定した所定のリブ高さよりも高くなることがあった。ここで、リブ１２４の高さは数１００μmに対し、ノイズ発生時の端部Ｐの高さは数μｍである。
【００１４】
このようにリブ１２４の端部Ｐが高くなった場合には前面側に配設される第１の基板１１０が、高くなったリブ１２４の端部Ｐを支点として浮き上がり、長さＬ１の梁を形成することとなる。
【００１５】
この状態で第１の基板１１０上の主電極１１１（図７及び図8のＸ電極とＹ電極の両方の電極群）には維持放電用の駆動電圧Ｖｓが加えられる。また、維持放電期間には第２の基板１２０上のアドレス電極１２１に通常グランドレベルの駆動電圧が印加される。このような駆動電圧が印加されている状態では、第１の基板１１０と第２の基板１２０との間に図９の矢印Ｆで示したような引力（クーロン力）が働き、しかもその引力の大きさが時間的（周期的）に変動する。
【００１６】
このように時間的（周期的）に変動する引力によって二つの基板は加振され、リブ１２４に接触し、振動音（異音）を発生することになる。この異音の発生を図９中星印Ｓで示した。
【００１７】
また、この際長さＬ１の梁の間で、二つの基板の間に加振力を与えることにもなるため、パネルは、第１の基板１１０の密度、梁の長さＬ１等で決まる共振周波数で共振を起こし、その共振周波数に対応する振動音（異音）を発生する場合もある。
【００１８】
この発生する異音の周波数は数１００ヘルツ〜数キロヘルツとなる。またこの音圧は、使用者がプラズマディスプレイ装置を使用する際の距離を取ると３０デシベルぐらいになる。
【００１９】
同様に、図９に示した長さＬ２の梁の範囲（一端が封止部１２６で持ち上げられる範囲）で共振を起こす場合も考えられる。しかしこのような共振も、その共振周期と外部から印加される駆動電圧の振動周期が逓倍の関係になった場合に発生することが多く、基本的には外部から印加される駆動電圧の振動周期を元にした振動となる。
【００２０】
これに加えて、プラズマディスプレイ装置のパネルが大きくなればなるほど、プラズマディスプレイパネルの表示面の大きさが大きくなり、パネルの平滑度を保つことが難しくなる。よって、異音が面音源を形成することが増える。このことが操作者の不快感をより増大させる。
【００２１】
次に、維持放電期間におけるプラズマディスプレイ装置に対する従来の駆動波形の実例を図８に示す。
【００２２】
維持放電期間において、Ｘ電極、Ｙ電極に対する駆動波形の一例を、それぞれ（ａ）乃至（ｄ）に示す。ここでＸｏｄｄとはＸ電極の奇数番目の走査に当たる電極を指し、一方、ＸｅｖｅｎとはＸ電極の偶数番目の走査に当たる電極を指す。同様に、ＹｏｄｄとはＹ電極の奇数番目の走査に当たる電極を指し、一方、ＹｅｖｅｎとはＹ電極の偶数番目の走査に当たる電極を指す。なお始点を左右上下のいずれから始めるかは設計事項により特に問題とはしない。
【００２３】
図８（ａ）乃至（ｄ）の電極群をまとめて第１の電極群と称し、その全体の平均の電位を（ｅ）に示す。すなわち走査の奇数番目と偶数版目を交互にＶｓ電位の駆動波形を出力することで、表示時には平均的にＶｓ／２の電圧がＸ電極、Ｙ電極のそれぞれの電極に常に生じることとなる。
【００２４】
一方アドレス電極Ａ１〜Ａｍ全体を第２の電極群と称し、維持放電期間中のその駆動波形は通常（ｆ）に示すようにグランドレベルを維持して一定である。なぜなら、アドレス電極はパネル内の蛍光体を予備放電させるのがアドレス電極であって、維持放電期間中は電位がＧＮＤレベルに落ちるためである。
【００２５】
その結果、第１の電極群における平均電位と第２の電極群における平均電位との差は、（ｇ）に示すようになり、周期的に変動する引力が第１の基板１１０と第２の基板１２０との間に働くことが分かった。この引力が第１の基板１１０と第２の基板１２０を加振することでパネルが振動し、外部に振動及び／又は異音となって放出される。
【００２６】
さらには、このプラズマディスプレイパネル用の高電圧駆動波形は方形波を用いることがほとんどである。方形波はn次高調波成分を含むため、人間の耳には耳障りになることが多い。
【００２７】
上記の問題を解決するために提起された発明を記載したものが特許文献１及び特許文献２であるが、それぞれに問題を内包する。
【００２８】
特許文献１の方法では振動自体は防げるものの、駆動波形の設計に制約が生じるため、本来の目的である安定した表示特性を得ることが難しい。また、特許文献２の方法では、既に一旦外部に出てしまった後の振動及び／又は音を使用するため、振動生成部の出力が時間的に遅れざるを得ない問題がある。
【００２９】
本発明はこれらの問題に鑑み、振動及び／又は音が発生する元となる高電圧駆動波形から直接的に、発生するだろう振動及び／又は音を推定して疑似異音として発生させることで、駆動波形設計時の制約や振動生成部の時間遅れの無い異音低減手段を提供する。
【００３０】
あわせて、本発明は、この現象の低減を可能にするプラズマディスプレイ装置を、より低廉かつ容易に実現することを目的とする。
【００３１】
本発明の前記並びにその他の目的と新規な特徴は、本明細書の記述及び添付図面から明らかになるであろう。
【課題を解決するための手段】
【００３２】
本願において開示される発明のうち、代表的なものの概要を簡単に説明すれば、次の通りである。
【００３３】
本発明にかかわるプラズマディスプレイパネルは複数の主電極が配設される第１の基板と、第１の基板と対向配置され前記主電極と交差する方向に複数のアドレス電極が配設された第２の基板を含み、主電極間又は主電極とアドレス電極間に印加される高圧駆動波形を電気的に処理し第１の基板及び第２の基板間で発生する振動と位相が反転する振動を推定する信号処理部と、信号処理部の出力に応じた振動を発生させる振動生成部を備えることを特徴とする。これにより、プラズマディスプレイパネル起動時に生じる振動への対応を図っている。
【００３４】
この振動の処理方法としては主電極間及び主電極とアドレス電極間に印加される高圧駆動波形からプラズマディスプレイパネルより生じる振動の位相・振幅を推定する振動推定ステップと、振動推定ステップで推定したノイズの位相・振幅から振動キャンセル出力を生成する振動キャンセル出力ステップとから構成される。
【００３５】
本発明にかかわるプラズマディスプレイパネルは振動のみならず異音に対しても対応でき、複数の主電極が配設される第１の基板と、第１の基板と対向配置され主電極と交差する方向に複数のアドレス電極が配設された第２の基板を含み、主電極間又は主電極とアドレス電極間に印加される高圧駆動波形を電気的に処理し第１の基板及び第２の基板間で発生する異音と位相が反転する音を擬似的に推定する信号処理部と、その信号処理部の出力に応じた音を発生させる音声出力部を備えることを特徴とする。
【００３６】
このノイズの処理方法としては主電極間及び主電極とアドレス電極間に印加される高圧駆動波形からプラズマディスプレイパネルより生じるノイズの位相・振幅を推定するノイズ推定ステップと、ノイズ推定ステップで推定したノイズの位相・振幅からノイズキャンセル出力を生成するノイズキャンセル出力ステップとから構成される。
【００３７】
これらの信号処理部にはローパスフィルタ機能を有することも有効であり、またこの実現のためにデジタル信号処理プロセッサ（ＤＳＰ）を用いても良い。
【００３８】
さらにこれらのプラズマディスプレイパネルの音声出力部にスピーカを用いることも考えられ、また、これに平面スピーカを用いることも可能である。この平面スピーカを表示面又は背面に取り付けることも一策であろう。
【００３９】
これらのプラズマディスプレイパネルは、出力される振動または音の位相や振幅を手動で調整可能とすることも特徴とする。個々のパネルの品質のばらつきを吸収する目的である。
【発明の効果】
【００４０】
本願において開示される発明のうち、代表的なものによって得られる効果を簡単に説明すれば以下の通りである。
【００４１】
本発明では異音の発生の原因となるプラズマディスプレイパネルの高圧駆動波形を電気的に処理して、異音の発生時に逆位相の出力を行うことができるため、完全に異音を打ち消すことを可能とする。
【発明を実施するための最良の形態】
【００４２】
以下本発明の基本構成及び実施の形態を図面に基づいて説明する。
【００４３】
（本発明の基本構成）
図１は本発明にかかわるプラズマディスプレイ装置の基本概念を示すブロック図である。
【００４４】
本発明にかかわるプラズマディスプレイ装置はプラズマディスプレイパネル１００に加えて、信号処理部５００及び振動生成部５５０を含む。
【００４５】
本発明で設けられた信号処理部５００には、プラズマディスプレイパネル１００に入力されるＸ電極高電圧駆動波形５９１、Ｙ電極高電圧駆動波形５９２、アドレス電極高電圧駆動波形５９３が入力される。すなわち、プラズマディスプレイパネル１００に入力される電気信号を検出することで、プラズマディスプレイパネル１００から発生すると思われる機械的な振動及び（または）音を擬似的に推定した電気信号５９４を発生する。
【００４６】
すなわち、パネルを電気―音響変換器であると考え、プラズマディスプレイパネル１００に入力される高圧駆動波形から発生するだろう振動及び（又は）音を推定する。ここで入力される高圧駆動波形と電気―音響変換器であるパネルの出力との相関のモデリングが課題となる。
【００４７】
なお、後述するとおり、この三本の信号線すべてを信号処理部５００に入力しても良いし、一部の影響が大きいもののみを入力し取り扱っても良い。上述したとおり、アドレス電極は維持放電期間中にはＧＮＤレベルに落ちるため（図８（ｆ）参照）、原理的にはＸ電極高電圧駆動波形５９１、Ｙ電極高電圧駆動波形５９２を入力するだけで対応可能である。しかし、この形式にはとらわれず設計上有効な措置を取ればよい。
【００４８】
電気信号５９４は振動生成部５５０に入力される。入力された電気信号５９４に基づき振動生成部５５０は振動及び（または）音（ノイズキャンセル出力）を発生させる。この振動、音をパネルから発生する振動及び（または）音と重畳させることで異音を低減する。なお、振動生成部５５０としてはスピーカなどを想定しており、可聴域だと音声出力部として、非可聴域だと振動生成部として扱うものとする。
【００４９】
（実施の形態）
図２は図１の基本構成を具現化した第1の実施の形態を表すブロック図である。
【００５０】
背景技術、前記本発明の基本構成及び図８でも示したとおり、異音の原因となるのは主にＸ，Ｙ電極間に印加された高電圧駆動波形によるものである。従って、本実施の形態では信号処理部５０１にはＸ電極高電圧駆動波形５９１、Ｙ電極高電圧駆動波形５９２を入力する。
【００５１】
本実施の形態における信号処理部５０１中には演算増幅器５１０、ローパスフィルタ５２０、位相器５３０、可変利得アンプ５４０が含まれる。
【００５２】
演算増幅器５１０が入力されるＸ電極高電圧駆動波形５９１、Ｙ電極高電圧駆動波形５９２をモニタし、その正味の印加電圧が計算され、ローパスフィルタ５２０に供給される。
【００５３】
ローパスフィルタ５２０は、演算増幅器５１０の出力の高周波成分をカットし低周波成分のみを位相器５３０に出力する。これはＸ電極及びＹ電極によって発生するパネルの振動及び（又は）音が、パネルの機械的性質のため、Ｘ電極及びＹ電極に印加される駆動波形の低周波成分を主成分としたものになることに対応したものである。
【００５４】
なお、このローパスフィルタ５２０はデジタル信号処理プロセッサ（ＤＳＰ）で処理しても良い。すなわち、パネルの振動では図９中のＬ１長及びＬ２長と共振する場合があり、この組み合わせで複雑な振動となる。このため単純なフィルタを用いたのでは、発生するだろう波形を十分に推定することができない。そのため、ローパスフィルタ５２０にデジタル信号処理プロセッサ（ＤＳＰ）を用いることで共振などの影響を含めた演算を行い、擬似異音を生成することが可能となる。
【００５５】
さらにこの実施例では、ローパスフィルタ５２０の出力を位相器５３０及び可変利得アンプ５４０に入力している。これは、位相器５３０で位相を、可変利得アンプ５４０で振幅をそれぞれ任意に調整できるようにし、異音低減に最適な信号を作り出し個々のプラズマディスプレイ装置に対応できるようにするためである。
【００５６】
その後、可変利得アンプ５４０の出力信号は電気信号５９４として振動生成部５５０に送られ、実際の擬似異音に変換される。なお、ここで振動生成部５５０にはスピーカを想定している。
【００５７】
この実施の形態の変形例としては図３に挙げられたものが考えられる。図３は図１の基本構成を具現化した第２の実施の形態を表すブロック図である。
【００５８】
上記の実施の形態では、振動生成部５５０として通常のスピーカを想定していた。これに変えて、高分子圧電フィルムを使用した平面スピーカ５５１を使用する。すなわち、パネルの振動及び（又は）音は主に平面波として発生する。従って、同様に平面的な振動及び（又は）音を生じることができる平面スピーカ５５１は振動生成部として好適だからである。
【００５９】
平面スピーカとして使用可能なものには、セラミック製圧電スピーカもあるが、特に、高分子圧電フィルムによる平面スピーカは透明なため、パネル表面に貼り付けて使用することができ外部スピーカを用いる場合よりも効率的な抑制効果が期待できる。図４はこのプラズマディスプレイパネルの表示面に平面スピーカ５５１を貼り付けて用いる際の組立模式図である。なお、プラズマディスプレイパネルの表示面と反対の側（背面）に平面スピーカ５５１を設け、表示面側に出力することでも実現可能である。更には背面側に取り付けることも考えられる。
【００６０】
また、プラズマディスプレイ装置が本来持っているスピーカを振動生成部と兼用させることで、専用の振動生成部を備えず、その分装置の大きさと価格を低減させることも考えられる。
【００６１】
以上発明者によってなされた発明を実施の形態に基づき具体的に説明したが、本発明は前記の実施の形態に限定されるものではなく、その要旨を逸脱しない範囲で種々変更可能であることは言うまでもない。
【図面の簡単な説明】
【００６２】
【図１】本発明にかかわるプラズマディスプレイ装置の基本概念を示すブロック図である。
【図２】本発明の第１の実施の形態にかかわるプラズマディスプレイ装置の全体ブロック構成図である。
【図３】本発明の第２の実施の形態にかかわるプラズマディスプレイ装置の全体ブロック構成図である。
【図４】本発明にかかわるプラズマディスプレイ装置にフラットパネルスピーカを適用した際の組立模式図である。
【図５】従来のプラズマディスプレイ装置におけるプラズマディスプレイパネルの分解斜視図である。
【図６】従来のプラズマディスプレイ装置におけるプラズマディスプレイパネルの構造を示す平面図である。
【図７】従来のプラズマディスプレイ装置の電気的構成を示すブロック図である。
【図８】従来のプラズマディスプレイパネルの駆動波形の実例を示す図である。
【図９】従来のプラズマディスプレイパネルの振動発生原理を示す模式的な断面図である。
【符号の説明】
【００６３】
１…従来のプラズマディスプレイ装置、２…アドレス電極駆動回路、３…Ｘ電極駆動回路、４…Ｙ電極駆動回路、５…表示領域、１００…プラズマディスプレイパネル、１１０…第１の基板、１１１…主電極、１１２…平面ガラス、１１３…透明誘電体、１１４…保護層、１２０…第２の基板、１２１…アドレス電極、１２２…平面ガラス、１２３…誘電体、１２４…リブ、１２５Ｒ…蛍光体（赤色）、１２５Ｇ…蛍光体（緑）、１２５Ｂ…蛍光体（青）、１２６…封止部、５００、５０１…信号処理部、５１０…演算増幅器、５２０…ローパスフィルタ、５２１…デジタル信号処理プロセッサ（ＤＳＰ）、５３０…位相器、５４０…可変利得アンプ、５５０…振動生成部、５５１…平面スピーカ
【図１】
2008198451.tif 000003
【図２】
2008198451.tif 000004
【図３】
2008198451.tif 000005
【図４】
2008198451.tif 000006
【図５】
2008198451.tif 000007
【図６】
2008198451.tif 000008
【図７】
2008198451.tif 000009
【図８】
2008198451.tif 000010
【図９】
2008198451.tif 000011